(57)【要約】【課題】ケーブルの被覆部分をそのまま容易に仮保持できるとともに、芯線とコンタクトのテール部との半田付けを確実かつ平均に行うことができ、しかも、その半田付けに当たりコンタクトの接点部分が半田で犯されることがないケーブル半田付け型コネクタを提供する。【解決手段】コネクタ本体１の後面にテール台部３が突設され、各コンタクト５のテール部５ｂが、コネクタ本体の後面からこのテール台部の上面に沿って突出してこれに支持され、各コンタクトのテール部に、テール台部上において半田付けホール９が形成されているとともに、該テール部の後端に、ケーブルの被覆部分を挟持するＵ形挟持部８が形成されている。【選択図】図１
2007258158.tif 000002
【特許請求の範囲】
【請求項１】
複数のコンタクトをコネクタ本体に並べて埋設し、各コンタクトのテール部にケーブルの芯線を半田付けするケーブル半田付け型コネクタにおいて、前記コネクタ本体の後面にテール台部が突設され、各コンタクトのテール部が、コネクタ本体の後面からこのテール台部の上面に沿って突出してこれに支持され、各コンタクトのテール部に、テール台部上において半田付けホールが形成されているとともに、該テール部の後端に、前記ケーブルの被覆部分を挟持するＵ形挟持部が形成されていることを特徴とするケーブル半田付け型コネクタ。
【請求項２】
コネクタ本体の前面に、コンタクトの前側部分を収容する凹部が形成され、テール台部が、この凹部の反対側でコネクタ本体の後面から突設され、コネクタ本体の後面とテール台部の上面とが段部を形成していることを特徴とする請求項１に記載のケーブル半田付け型コネクタ。
【請求項３】
Ｕ形挟持部が、コンタクトのテール部の先端部分にＵ形スリットを形成し、この部分をほぼ直角に折曲して形成され、該Ｕ形挟持部がテール台部上で立ち上がっていることを特徴とする請求項１又は２に記載のケーブル半田付け型コネクタ。
【請求項４】
Ｕ形挟持部が、コンタクトのテール部の先端部分にＵ形スリットを形成し、この部分を逆Ｖ形に折曲して形成されていることを特徴とする請求項１又は２に記載のケーブル半田付け型コネクタ。
【請求項５】
Ｕ形挟持部が、コンタクトのテール部の先端部分にＵ形スリットを形成し、この部分をテール台部の上面に沿って該テール台部を超えるところまで延出させて形成されていることを特徴とする請求項１又は２に記載のケーブル半田付け型コネクタ。
【請求項６】
Ｕ形挟持部が、コンタクトのテール部の先端部分を断面Ｕ形とすることにより形成され、その対向する両側の立ち上がり部分を互いに内側に折曲することでケーブルの被覆部分を挟持できるようになっていることを特徴とする請求項１又は２に記載のケーブル半田付け型コネクタ。
【発明の詳細な説明】
【技術分野】
【０００１】
本発明は、ケーブルの被覆部分を仮保持して芯線をコンタクトに半田付けするケーブル半田付け型コネクタに関する。
【背景技術】
【０００２】
特許文献１（実開平５−６７０８号公報）には、プリント基板に植設した圧接用端子台に、Ｕコンタク部とはんだ付け用穴あけ部とを形成し、この圧接用端子台に電気部品を接続する通常の使用状態の場合には、電気部品のリード端子をＵコンタク部に圧入し、振動や衝撃等が作用する悪条件の場合には、リード端子をはんだ付け用穴あけ部に挿入してはんだ付けする圧接用端子台が開示されている。
【０００３】
これは、圧接用端子台のＵコンタク部と、はんだ付け用穴あけ部とを、条件により使い分けるもので、これら両者を同時に使用するものではない。
【０００４】
特許文献２（特開２００１−３５５５４号公報）には、コネクタが、基部と仮止め部材とに分かれたケーブル接続装置が開示されている。その仮止め部材は、本体に対して蓋がヒンジで開閉でき、基部には、板状の複数の接触子が並べて保持され、各接触子は、その後端で垂直に立ち上がる二叉状の第一導通接触部と、ほぼ平行に延びる第二の導通接触部とを有する。仮止め部材の蓋を閉じて複数本のケーブルを仮止め部材に仮止めしておいてから、仮止め部材と基部とを合体すると、二叉状の第一導通接触部がケーブルの被覆に切り込み、芯線が接触子と導通されるようになっている。
【０００５】
しかし、これは非常に複雑な構造である。また、ケーブルの芯線を接触子に半田付けするものではない。
【０００６】
特許文献３（特開平８−１１５７５６号公報）には、逆Ｙ字形に形成した圧接刃に被覆電線を押し込むことにより、電線の被覆に切り込ませて露呈される導体（芯線）を圧接刃と通電可能に接続させるととともに、該圧接刃の基部に設けた接触突起と露呈された導体とを接触させ、更に接触突起と導体とを半田付けする電線の接続構造が開示されている。
【０００７】
しかし、圧接刃は被覆電線を仮保持するものではなく、被覆に切り込ませて剥離するものであるため、導体（芯線）を損傷する恐れがあるとともに、その剥離が確実に行われていないと、圧接刃の基部に設けた接触突起と導体との半田付けが不良になる欠点がある。
【特許文献１】実開平５−６７０８号公報
【特許文献２】特開２００１−３５５５４号公報
【特許文献３】特開平８−１１５７５６号公報
【発明の開示】
【発明が解決しようとする課題】
【０００８】
本発明の課題は、ケーブルの被覆部分をそのまま容易に仮保持できるとともに、芯線とコンタクトのテール部との半田付けを確実かつ平均に行うことができ、しかも、その半田付けに当たりコンタクトの接点部分が半田で犯されることがないケーブル半田付け型コネクタを提供することにある。
【課題を解決するための手段】
【０００９】
本発明は、複数のコンタクトをコネクタ本体に並べて埋設し、各コンタクトのテール部にケーブルの芯線を半田付けするケーブル半田付け型コネクタにおいて、コネクタ本体の後面にテール台部が突設され、各コンタクトのテール部が、コネクタ本体の後面からこのテール台部の上面に沿って突出してこれに支持され、各コンタクトのテール部に、テール台部上において半田付けホールが形成されているとともに、該テール部の後端に、ケーブルの被覆部分を挟持するＵ形挟持部が形成されていることを特徴とする。
【００１０】
その好ましい形態を挙げると、次の通りである。
＜請求項２に係る発明＞
コネクタ本体の前面に、コンタクトの前側部分を収容する凹部が形成され、テール台部が、この凹部の反対側でコネクタ本体の後面から突設され、コネクタ本体の後面とテール台部の上面とが段部を形成している。
【００１１】
＜請求項３に係る発明＞
Ｕ形挟持部が、コンタクトのテール部の先端部分にＵ形スリットを形成し、この部分をほぼ直角に折曲して形成されている。
【００１２】
＜請求項４に係る発明＞
Ｕ形挟持部が、コンタクトのテール部の先端部分にＵ形スリットを形成し、この部分を逆Ｖ形に折曲して形成されている。
【００１３】
＜請求項５に係る発明＞
Ｕ形挟持部が、コンタクトのテール部の先端部分にＵ形スリットを形成し、この部分をテール台部の上面に沿って該テール台部を超えるところまで延出させて形成されている。
【００１４】
＜請求項６に係る発明＞
Ｕ形挟持部が、コンタクトのテール部の先端部分を断面Ｕ形とすることにより形成され、その対向する両側の立ち上がり部分を互いに内側に折曲することでケーブルの被覆部分を挟持できるようになっている。
【発明の効果】
【００１５】
本発明によれば、次のような効果がある。
（１）コンタクトのテール部が、コネクタ本体の後面に突設されたテール台部の上面に沿って突出してこれに支持されているので、安定するとともに、テール台部の上面が、コンタクトのテール部に設けられた半田付けホールの底面となるので、この半田付けホールでのケーブル芯線の半田付けを確実かつ平均に行える。
（２）ケーブルの被覆部分を挟持するＵ形挟持部が、テール部の後端に設けられているので、このＵ形挟持部に対するケーブルの仮保持を容易に行える。
【００１６】
請求項２に係る発明によれば、上記（１）、（２）の効果に加え、次のような効果がある。
（３）コンタクトの前側部分が、コネクタ本体前面の凹部に収容され、また、コネクタ本体の後面とテール台部の上面とが段部を形成しているので、接点部分となるコンタクトの前側部分が、半田で犯されないとともに、半田付けホールへの半田付け及びＵ形挟持部へのケーブルの仮保持を段部の高さ以内で整然と行える。
【００１７】
請求項３、請求項４及び請求項５に係る発明によれば、ケーブルの被覆部分を挟持するＵ形挟持部を簡単に形成できる。
【００１８】
請求項６に係る発明によれば、Ｕ形挟持部を断面Ｕ形としてその対向する両側の立ち上がり部分を互いに内側に折曲することでケーブルの被覆部分を挟持するので、その挟持を強固に行うことができる。
【発明を実施するための最良の形態】
【００１９】
次に、本発明の実施例を図面に基づいて詳細に説明する。
【実施例１】
【００２０】
図１に本発明の実施例１のコネクタを示し、そのコネクタ本体１は、樹脂等の絶縁材で成型され、その前面に長溝状の凹部２を形成しているとともに、後面１ａには、凹部２の反対側でその幅員方向の中間部位から板状のテール台部３を一体に突設しており、コネクタ本体１の後面１ａとテール台部３の上面３ａとで段部４が形成されている。
【００２１】
コネクタ本体１には、金属板片である複数のコンタクト５が、凹部２の長さ方向に所定の間隔をおいて中間部だけを埋設され、各コンタクト５の前側部分５ａは、凹部２に収容されているが、各コンタクト５のテール部５ｂは、コネクタ本体１の後面１ａからテール台部３の上面３ａに沿って突出（露呈）してこれに支持されている。
【００２２】
コンタクト５の前端部分は、Ｖ形に折曲した接点部分６となっている。一方、テール部５ｂの先端部分にはＵ形スリット７が形成され、この部分をほぼ直角（正確な直角を含む）に上側へ折曲することにより、テール部５ｂの後端にＵ形挟持部８が形成されている。
【００２３】
このＵ形挟持部８は、テール台部３の上面３ａの後端でほぼ直角に立ち上がっており、その高さは段部４の高さ以下である。Ｕ形スリット７の両側に分かれたＵ形挟持部８の上端縁８ａ・８ｂは、Ｕ形スリット７へ向かって下向きに傾斜している。
【００２４】
また、テール部５ｂには、その後端のＵ形挟持部８とコネクタ本体１の後面１ａとの間の部分において、円形の半田付けホール９が形成され、テール台部３の上面３ａはこの半田付けホール９の底面となっている。
【００２５】
このように構成された実施例１のコネクタの各コンタクト５にケーブルを接続するには、図２に示すように、先ずケーブル１０の被覆部分１０ａをＵ形挟持部８のＵ形スリット７に差し込む。その際、Ｕ形挟持部８の上端縁８ａ・８ｂがＵ形スリット７へ向かって下向きに傾斜しているので、容易に差し込むことができる。このように差し込むと、ケーブル１０の被覆部分１０ａは、Ｕ形挟持部８に挟持されてこれに仮保持される。
【００２６】
同図に示すように、ケーブル１０の複数本の芯線１０ｂの先端を半田付けホール９内へ位置させ、図３に示すように、半田付けホール９へ半田を流し込むようにして半田付け１１を行う。その半田付けは、凹部２の反対側に形成された段部４で行われるので、コンタクト５の前端の接点部分６が半田に犯されることはない。また、テール台部３の上面３ａが、テール部５ｂを下から支持して半田付けホール９の底面となっているので、半田付けを確実かつ平均に行える。
【００２７】
このようにして各コンタクト５に半田付けした後のコネクタは、ケーブル１０の仮保持及び半田付け１１が、凹部２の反対側に形成された段部４の高さ以内で、ムラなく整然と行われていることになる。
【実施例２】
【００２８】
実施例２は、各コンタクトの後端のＵ形挟持部のみが実施例１とは異なり、図図４に示すように、Ｕ形挟持部８が、コンタクト５のテール部５ｂの先端部分にＵ形スリット７を形成し、この部分を上に向けて逆Ｖ形に折曲して形成されている。このように逆Ｖ形に折曲されたＵ形挟持部８は、その半部８ｃが水平なテール部５ｂから上向きに傾斜して延び、他の半部８ｄがさらに下向きに傾斜して延びているので、図５に示すようにケーブル１０の被覆部分１０ａの仮保持が容易になる。
【実施例３】
【００２９】
実施例３も、各コンタクトの後端のＵ形挟持部のみが実施例１と異なる。すなわち、実施例１では、Ｕ形スリット７を有するテール部５ｂの先端部分を上側へほぼ直角に折曲して、テール台部３の上面３ａの後端でほぼ直角に立ち上がるＵ形挟持部８としたが、実施例３では、図６に示すように、Ｕ形スリット７を有するテール部５ｂの先端部分を、折曲することなく、テール台部３の上面３ａの後端よりそのまま延出させることで、テール台部３の上面３ａの後端を超えて真っ直ぐ延びるＵ形挟持部８としたもので、コンタクト５のテール部５ｂの成形が実施例１及び実施例２に比べて容易である。
【００３０】
実施例３のコネクタの各コンタクト５にケーブルを接続するには、図７に示すように、ケーブル１０がＵ形挟持部８のＵ形スリット７を上下に挿通するように被覆部分１０ａをＵ形スリット７に差し込むことにより、ケーブル１０の被覆部分１０ａをＵ形挟持部８で挟持してこれに仮保持する。この状態でケーブル１０を曲げてその複数本の芯線１０ｂの先端を半田付けホール９内へ位置させ、半田付けホール９へ半田を流し込むようにして半田付け１１を行う。
【実施例４】
【００３１】
実施例４は、図８に示すように、各コンタクト５のテール部５ｂの先端部分の両辺縁に、対向する立ち上がり部分８ｅ・８ｆを一体に形成することにより、断面Ｕ形となるＵ形挟持部８を形成したもので、その他については実施例１と同じである。
【００３２】
実施例４のコネクタの各コンタクト５にケーブルを接続するには、図９に示すように、Ｕ形挟持部８の両側の立ち上がり部分８ｅ・８ｆの間においてケーブル１０をテール部５ｂ上に置き、両側の立ち上がり部分８ｅ・８ｆを互いに内側に折り曲げて、これらで図１０に示すようにケーブル１０の被覆部分１０ａを挟持することで、ケーブル１０の被覆部分１０ａをＵ形挟持部８に仮保持する。そして、ケーブル１０の複数本の芯線１０ｂの先端を半田付けホール９内へ位置させておいて、半田付けホール９へ半田を流し込むようにして半田付け１１を行う。        
【００３３】
実施例４の場合には、Ｕ形挟持部８の両側の立ち上がり部分８ｅ・８ｆの間隔を、ケーブル１０の被覆部分１０ａの外径に対して余裕をもった大きさとすることにより、ケーブル１０の太さの違いに対応することができる。
【図面の簡単な説明】
【００３４】
【図１】本発明の実施例１の一部を断面にした斜視図である。
【図２】実施例１において、コンタクトのＵ形挟持部にケーブルを仮保持した状態の斜視図である。
【図３】同じく、ケーブルの芯線をコンタクトの半田付けホールにおいて半田付けした状態の斜視図である。
【図４】本発明の実施例２について、コンタクトのテール部のみを示す斜視図である。
【図５】同じく、ケーブルの芯線をコンタクトの半田付けホールにおいて半田付けする状態の斜視図である。
【図６】本発明の実施例３の一部を断面にした斜視図である。
【図７】実施例３において、ケーブルの芯線をコンタクトの半田付けホールにおいて半田付けした状態の斜視図である。
【図８】本発明の実施例４の一部を断面にした斜視図である。
【図９】実施例４において、コンタクトのＵ形挟持部にケーブルを仮保持する状態の斜視図である。
【図１０】実施例４において、ケーブルの芯線をコンタクトの半田付けホールにおいて半田付けした状態の斜視図である。
【符号の説明】
【００３５】
１  コネクタ本体
１ａ  コネクタ本体の後面
２  コネクタ本体の凹部
３  コネクタ本体のテール台部
３ａ  テール台部の上面
４  コネクタ本体の段部
５  コンタクト
５ａ  コンタクトの前側部分
５ｂ  コンタクトのテール部
６  コンタクトの接点部分
７  Ｕ形スリット
８  Ｕ形挟持部
８ａ・８ｂ  Ｕ形挟持部の上端縁
８ｃ・８ｄ  Ｕ形挟持部の半部
８ｄ・８ｆ  Ｕ形挟持部の立ち上がり部分
９  半田付けホール
１０  ケーブル
１０ａ  ケーブルの被覆部分
１０ｂ  芯線
１１  半田付け
【図１】
2007258158.tif 000003
【図２】
2007258158.tif 000004
【図３】
2007258158.tif 000005
【図４】
2007258158.tif 000006
【図５】
2007258158.tif 000007
【図６】
2007258158.tif 000008
【図７】
2007258158.tif 000009
【図８】
2007258158.tif 000010
【図９】
2007258158.tif 000011
【図１０】
2007258158.tif 000012